(57)【要約】【課題】有料番組をも、自動的に行われる録画の対象となるように設定することができるようにする。【解決手段】ユーザがカーソルＣを「有料番組」の項目にあて、所定の操作を行ったとき、プルダウンメニューＰ2が他の項目の上に重ねて表示される。ユーザは、このプルダウンメニューＰ2から「含む」を選択することによって、自動録画の対象とする番組として有料番組が含まれるようにすることができ、「含まない」を選択することによって、自動録画の対象とする番組として有料番組が含まれないようにすることができる。本発明は、有料番組を受信可能な、自動録画機能を有する記録装置に適用することができる。【選択図】図５
2006319501.tif 000002
【特許請求の範囲】
【請求項１】
録画対象の番組として有料番組が選択されるようにするか否かをユーザに設定させる設定手段と、
録画対象の番組として有料番組が選択されるようにすることがユーザにより設定されている場合、放送予定の番組の中から、ユーザにより設定された条件にあう番組を有料番組をも対象として選択し、記録する記録制御手段と
を備えることを特徴とする記録装置。
【請求項２】
前記設定手段は、録画対象の番組として有料番組が選択されるようにすることがユーザにより設定されている場合、さらに、有料番組の録画のために許容できる金額の上限をユーザに設定させ、
前記記録制御手段は、ユーザにより設定された金額の範囲内で、ユーザにより設定された条件にあう有料番組を選択し、記録する
ことを特徴とする請求項１に記載の記録装置。
【請求項３】
録画対象の番組として有料番組が選択されるようにするか否かをユーザに設定させる設定ステップと、
録画対象の番組として有料番組が選択されるようにすることがユーザにより設定されている場合、放送予定の番組の中から、ユーザにより設定された条件にあう番組を有料番組をも対象として選択し、記録する記録制御ステップと
を含むことを特徴とする記録方法。
【請求項４】
録画対象の番組として有料番組が選択されるようにするか否かをユーザに設定させる設定ステップと、
録画対象の番組として有料番組が選択されるようにすることがユーザにより設定されている場合、放送予定の番組の中から、ユーザにより設定された条件にあう番組を有料番組をも対象として選択し、記録する記録制御ステップと
を含む処理をコンピュータに実行させることを特徴とするプログラム。
【発明の詳細な説明】
【技術分野】
【０００１】
本発明は、記録装置および方法、並びにプログラムに関し、特に、有料番組をも、自動的に行われる録画の対象となるように設定することができるようにする記録装置および方法、並びにプログラムに関する。
【背景技術】
【０００２】
近年、ハードディスクレコーダやDVDレコーダ、あるいは、それらの両方の機能を備えたハイブリッド型のレコーダなどのディジタル録画機器が普及している。
【０００３】
そのようなディジタル録画機器の中には、下記非特許文献１に記載されているように、ユーザがあらかじめ選択しておいたキーワードやジャンルなどの条件にあう番組をEPG(Electronic Program Guide)を参照して選択し、自動的に（ユーザが番組を指定することなく）、その選択した番組の録画を行う自動録画機能を搭載するものもある。
【非特許文献１】ソニー  ハードディスク搭載DVDレコーダー「スゴ録」  おまかせ・まる録  <URL:http://www.sony.jp/products/Consumer/dvdrecorder/products/rdr_hx100_hx90.html>
【発明の開示】
【発明が解決しようとする課題】
【０００４】
しかしながら、従来の自動録画機能においては、例えば、有料チャンネルで放送される番組や、その１つの番組が有料のものとして設定されているいわゆるPPV(Pay Per View)方式の番組などの有料番組は、たとえ、その番組が、ユーザがあらかじめ選択しておいた条件にあうものであっても、録画対象の番組としては自動的に選択されないものとなっていた。
【０００５】
有料番組が、ユーザの許可なく、無制限に録画されるのを防止するという点からはこのような仕様は好ましいものの、反対に、ユーザの許可さえ得られれば、有料番組をも、録画対象の番組として自動的に選択されるようにしても構わないものと考えられる。
【０００６】
本発明はこのような状況に鑑みてなされたものであり、有料番組をも、自動的に行われる録画の対象となるように設定することができるようにするものである。
【課題を解決するための手段】
【０００７】
本発明は、録画対象の番組として有料番組が選択されるようにするか否かをユーザに設定させる設定手段／ステップと、録画対象の番組として有料番組が選択されるようにすることがユーザにより設定されている場合、放送予定の番組の中から、ユーザにより設定された条件にあう番組を有料番組をも対象として選択し、記録する記録制御手段／ステップとを備えることを特徴とする。
【０００８】
設定手段は、録画対象の番組として有料番組が選択されるようにすることがユーザにより設定されている場合、さらに、有料番組の録画のために許容できる金額の上限をユーザに設定させ、記録制御手段は、ユーザにより設定された金額の範囲内で、ユーザにより設定された条件にあう有料番組を選択し、記録するようにすることができる。
【０００９】
本発明においては、録画対象の番組として有料番組が選択されるようにするか否かをユーザに設定させることが行われ、録画対象の番組として有料番組が選択されるようにすることがユーザにより設定されている場合、放送予定の番組の中から、ユーザにより設定された条件にあう番組が有料番組をも対象として選択され、記録される。
【発明の効果】
【００１０】
本発明によれば、ユーザは、有料番組をも、自動的に行われる録画の対象となるように設定することができる。
【発明を実施するための最良の形態】
【００１１】
以下に本発明の実施の形態を説明するが、本明細書に記載の発明と、発明の実施の形態との対応関係を例示すると、次のようになる。この記載は、請求項に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００１２】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により追加される発明の存在を否定するものではない。
【００１３】
請求項１に記載の記録装置は、録画対象の番組として有料番組が選択されるようにするか否かをユーザに設定させる設定手段（例えば、図２の録画条件設定部４１）と、録画対象の番組として有料番組が選択されるようにすることがユーザにより設定されている場合、放送予定の番組の中から、ユーザにより設定された条件にあう番組を有料番組をも対象として選択し、記録する記録制御手段（例えば、図２の録画制御部４２）とを備えることを特徴とする。
【００１４】
請求項３に記載の記録方法は、録画対象の番組として有料番組が選択されるようにするか否かをユーザに設定させる設定ステップ（例えば、図６のステップＳ２）と、録画対象の番組として有料番組が選択されるようにすることがユーザにより設定されている場合、放送予定の番組の中から、ユーザにより設定された条件にあう番組を有料番組をも対象として選択し、記録する記録制御ステップ（例えば、図７のステップＳ１５）とを含むことを特徴とする。
【００１５】
請求項４に記載のプログラムにおいても、各ステップが対応する実施の形態（但し一例）は、請求項３に記載の記録方法と同様である。
【００１６】
以下、本発明の実施の形態について図を参照して説明する。
【００１７】
図１は、本発明の一実施形態に係る記録装置１の構成例を示すブロック図である。
【００１８】
CPU(Central Processing Unit)１１は、コントローラ１２を介して、ROM(Read Only Memory)１３に記憶されたプログラムや、HDD(Hard Disk Drive)２５からRAM(Random Access Memory)１４にロードされたプログラムを実行し、バス１５および２４に接続されている各部の動作を制御する。
【００１９】
後に詳述するように、記録装置１には、ユーザによりあらかじめ設定されたジャンル、キーワードなどの所定の条件にあう番組を放送予定の番組の中から選択し、選択した番組を録画（HDD２５や光ディスク２７に記録）する、いわゆる自動録画機能が搭載されている。この自動録画機能が、CPU１１により所定のプログラムが実行されることによって実現される。従って、ユーザは、録画させたい番組のジャンルやキーワードなどの条件をあらかじめ設定しておくだけで、録画する番組を１つずつ選択する必要がない。
【００２０】
また、記録装置１においては、この自動録画機能により録画される番組として、ユーザが、有料番組をも選択されるように設定することができるようになされている。
【００２１】
チューナ部１７は、CPU１１による制御に従って、アンテナ１６からの放送信号（例えば、ディジタル放送）を受信、復調し、所定のチャンネルで放送されてきたトランスポートストリームを、バス１５を介してデスクランブラ１８に出力する。なお、受信された放送信号には、放送予定の番組の情報であるEPG(Electronic Program Guide)も含まれている。
【００２２】
デスクランブラ１８は、カードI/F(Interface)１９に挿入されたCASカード２０に記憶されているデータを用いてスクランブルを解くキーを生成し、チューナ部１７から供給されてきたトランスポートストリームのスクランブルを解除する。デスクランブラ１８によりスクランブルが解除されたトランスポートストリームは、例えば、バス１５を介してデマルチプレクサ２１に供給される。
【００２３】
カードI/F１９は、CASカード２０から読み出したデータをバス１５を介してデスクランブラ１８に供給する。
【００２４】
デマルチプレクサ２１は、CPU１１による制御に従って、デスクランブラ１８から供給されてきたトランスポートストリームから所定のストリームを抽出し、抽出したストリームを構成するパケットをバス１５上に、または、オーディオデコーダ２２、ビデオデコーダ２３に出力する。デマルチプレクサ２１により得られたパケットからなるコンテンツは、例えば、バス１５、コントローラ１２、およびバス２４を介してHDD２５に供給され、記録される。
【００２５】
また、デマルチプレクサ２１は、トランスポートストリームから抽出したEPGをバス１５、およびコントローラ１２を介してCPU１１に出力する。
【００２６】
オーディオデコーダ２２は、デマルチプレクサ２１から供給されてきたオーディオデータ（オーディオパケット）をデコードし、得られたオーディオデータを図示せぬオーディオ出力端子から出力する。オーディオ出力端子から出力されたオーディオデータは、例えば、記録装置１とケーブルを介して接続されるテレビジョン受像機により受信され、そのスピーカから、オーディオデータに対応する音声が出力される。
【００２７】
ビデオデコーダ２３は、デマルチプレクサ２１から供給されてきたビデオデータ（ビデオパケット）をデコードし、得られたビデオデータを図示せぬビデオ出力端子から出力する。ビデオ出力端子から出力されたビデオデータは、例えば、記録装置１とケーブルを介して接続されるテレビジョン受像機により受信され、そのディスプレイに、ビデオデータに対応する画像が表示される。
【００２８】
ビデオデコーダ２３は、例えば、HDD２５に記録されているコンテンツのタイトルのリストや、自動録画の対象となる番組の条件の設定画面などを表示させるOSD(On Screen Display)機能も有しており、OSD機能により生成したビデオデータも、ビデオ出力端子を介してテレビジョン受像機に出力する。
【００２９】
HDD２５は、バス２４を介して供給されてきたコンテンツやEPGを記録する。HDD２５に記録されたコンテンツは、CPU１１による制御に従って適宜読み出され、再生される。
【００３０】
光ディスクドライブ２６は、トレイに装着された光ディスク２７を駆動することにより、バス２４を介して供給されてきたデータを光ディスク２７に記録し、また、光ディスク２７に記録されているデータ（プログラムを含む）を読み出してバス２４上に出力する。例えば、光ディスクドライブ２６は、HDD２５からバス２４を介して供給されてきたコンテンツを光ディスク２７に記録させたり、あるいは、光ディスク２７に記録されているコンテンツをバス２４を介して読み出し、HDD２５に記録させる。ここで、光ディスク２７は、例えば、DVD(Digital Versatile Disc)やBlu-ray Disc（商標）である。
【００３１】
入力部２８は、記録装置１の筐体表面に設けられたボタンや、リモートコントローラからの信号を受光する受光部よりなり、ユーザ操作を受け付け、その内容を表す情報をバス２４、コントローラ１２を介してCPU１１に出力する。
【００３２】
通信部２９は、IEEE(Institute of Electrical and Electronics Engineers)1394ケーブルを介して接続される外部機器と通信を行い、例えば、バス２４を介して供給されてきたコンテンツを、その外部機器に出力する。
【００３３】
図２は、記録装置１の機能構成例を示すブロック図である。図２に示す機能部のうちの少なくとも一部は、図１のCPU１１により所定のプログラムが実行されることによって実現される。
【００３４】
録画条件設定部４１は、録画条件の設定画面を記録装置１に接続されたテレビジョン受像機に表示させ、その設定画面を用いてユーザにより行われる録画条件の設定を受け付ける。録画条件設定部４１は、ユーザにより設定された録画条件を録画制御部４２に出力する。
【００３５】
録画制御部４２は、EPGを参照して、放送予定の番組の中からユーザにより設定された録画条件にあう番組を選択し、選択した番組の放送開始時刻になったとき、チューナ部１７、デスクランブラ１８、デマルチプレクサ２１等を制御することによって、その番組の録画を行わせる。
【００３６】
例えば、録画制御部４２は、録画条件としてあるジャンルが設定されている場合、そのジャンルの番組をEPGを参照して選択し、選択した番組の録画を行わせる。EPGには、放送予定のそれぞれの番組について、ジャンル、出演者、番組の概要、その番組が有料番組であるか無料番組であるかなどを表す属性情報が含まれている。
【００３７】
また、録画制御部４２は、録画条件として、例えば、ある人物名（キーワード）が設定されている場合、その人物名と同じ名前が属性情報のうちの出演者の欄に含まれる番組を選択し、選択した番組の録画を行わせる。
【００３８】
さらに、録画制御部４２は、録画対象の番組として有料番組が選択されるようにユーザにより設定されている場合、無料番組だけでなく、有料番組をも対象として、ユーザにより設定された他の録画条件にあう番組を選択し、選択した番組の録画を行わせる。すなわち、反対に、録画対象の番組として有料番組が選択されないようにユーザにより設定されている場合、無料番組の中だけから録画対象の番組の選択が行われることとなり、有料番組が、録画対象の番組として選択されることはない。
【００３９】
なお、録画制御部４２においては、ユーザにより設定された録画条件にあう番組は、一度、録画候補の番組として選択され、他の録画候補の番組と放送時間が重複しないことや、その番組が有料番組である場合には有料番組を自動録画の対象とすることがユーザにより設定されていることなどの条件を満たすとき、実際に録画する番組として選択される。
【００４０】
ここで、録画条件設定部４１により表示される録画条件の設定画面について説明する。
【００４１】
図３は、設定画面の表示例を示す図である。この画面は、メニュー画面が表示されている状態において、所定の操作が行われたときに表示される。
【００４２】
図３に示すように、設定画面の上方には「自動録画条件を設定してください」のメッセージが表示され、その下に、設定可能な条件の項目がリスト表示されている。また、各項目の右方には、いま現在の設定の内容が示されている。
【００４３】
図３の例においては、「放送」、「有料番組」、「時間帯」、「ジャンル」、「キーワード」、「キーワード検索方法」、「自動録画」の各項目がリスト表示されている。
【００４４】
「放送」は、自動録画の対象とする番組の放送波の条件を設定する項目であり、「有料番組」は、自動録画の対象とする番組として、有料番組が含まれるようにするか否かの条件を設定する項目である。また、「時間帯」は、自動録画の対象とする番組の放送時間帯を設定する項目であり、「ジャンル」は、自動録画の対象とする番組のジャンルの条件を設定する項目である。「キーワード」は、自動録画の対象とする番組のキーワードの条件を設定する項目であり、「キーワード検索方法」は、「キーワード」の項目で設定したキーワード（例えば、人物名）の検索を、属性情報のどの欄の情報を対象として行うのかの条件を設定する項目であり、「自動録画」は、自動録画機能のオン／オフを設定する項目である。
【００４５】
図３の例においては、「放送」は「全ての放送」、「有料番組」は「含まない」、「時間帯」は「夜（６：００PM〜０：００am）」、「ジャンル」は「スポーツ」、「キーワード」は「海外サッカー」、「キーワード検索方法」は「全てのキーワードを含む」、「自動録画」は「切」として、それぞれの項目が設定されている。
【００４６】
ユーザは、リモートコントローラなどを操作してカーソルＣを移動させ、所定の条件を選択して、その条件の設定を変更したりすることができる。画面右側に表示されるボタン５１（確定ボタン、中止ボタン、全取消ボタン、候補表示ボタン）は、必要に応じてユーザにより操作される。
【００４７】
図４は、「放送」の項目が選択されたときに表示される設定画面の例を示す図である。
【００４８】
ユーザがカーソルＣを「放送」の項目にあて、所定の操作を行ったとき、図４に示すようにプルダウンメニューＰ1が他の項目の上に重ねて表示される。ユーザは、このプルダウンメニューＰ1に挙げられているものの中から自動録画の対象とする番組の放送波の条件を選択することができ、図４の例においては、「全てのデジタル放送」、「地上デジタル放送」、「BSデジタル放送」、「CSデジタル放送」、および、「地上アナログ放送」の中から選択することができるようになされている。
【００４９】
図５は、「有料番組」の項目が選択されたときに表示される設定画面の例を示す図である。
【００５０】
ユーザがカーソルＣを「有料番組」の項目にあて、所定の操作を行ったとき、図５に示すように、プルダウンメニューＰ2が他の項目の上に重ねて表示される。ユーザは、このプルダウンメニューＰ2から「含む」を選択することによって、自動録画の対象とする番組として有料番組が含まれるようにすることができ、「含まない」を選択することによって、自動録画の対象とする番組として有料番組が含まれないようにすることができる。
【００５１】
このような「有料番組」が、設定可能な条件の項目として設けられることにより、ユーザは、有料番組をも、自動録画の対象となるように設定することができる。
【００５２】
他の項目をカーソルＣで選択したときも同様にプルダウンメニューが表示され、ユーザは、例えば、プルダウンメニューに挙げられているものの中から選択することによって、「時間帯」、「ジャンル」などの録画条件も設定することができる。
【００５３】
次に、記録装置１の動作について説明する。
【００５４】
はじめに、図６のフローチャートを参照して、記録装置１の録画条件設定処理について説明する。
【００５５】
例えば、メニュー画面を表示している状態で、録画条件の設定画面を表示することがユーザにより指示された場合、ステップＳ１において、録画条件設定部４１は、図３に示すような設定画面をテレビジョン受像機に表示させる。
【００５６】
ステップＳ２において、録画条件設定部４１は、設定画面を用いてユーザにより行われる録画条件の設定を受け付け、受け付けた録画条件を録画制御部４２に出力する。録画制御部４２においては、録画条件設定部４１から供給されてきた録画条件が、自動録画の対象とする番組を選択する際に用いられるように設定される。
【００５７】
次に、図７のフローチャートを参照して、有料番組に関する記録装置１の自動録画処理について説明する。
【００５８】
ステップＳ１１において、録画制御部４２は、EPGを参照して、ユーザにより設定された条件にあう番組を選択し、選択した番組のリストである候補リストを作成する。ここでは、例えば、有料番組なども対象として番組の選択が行われる（実際に録画されるか否かは、後述するように、「有料番組」の設定に従って決定される）。
【００５９】
なお、候補リストの作成は、例えば、記録装置１の電源が投入されたとき、EPGが更新されたとき、録画条件の設定が変更されたときなどの所定のタイミングで行われる。
【００６０】
候補リストに挙げられている番組の中から、実際に録画する番組を決定するタイミングになったとき、ステップＳ１２において、録画制御部４２は、候補リストに登録されている１つの番組を選択する。
【００６１】
ステップＳ１３において、録画制御部４２は、ステップＳ１２で選択した番組が有料番組であるか否かを判定する。この判定は、それぞれの番組が有料番組であるか否かを表す、EPGに含まれる属性情報に基づいて行われる。
【００６２】
ステップＳ１３において、録画制御部４２は、選択している番組が有料番組であると判定した場合、ステップＳ１４に進み、設定画面を用いて行われた「有料番組」の項目の設定が「含む」、すなわち、自動録画の対象とする番組として有料番組が含まれるように設定されているか否かを判定する。
【００６３】
録画制御部４２は、ステップＳ１４において、「有料番組」の項目の設定が「含む」であると判定した場合、ステップＳ１５に進み、他の候補の番組と放送時間帯が重複しないなどの条件を満たすときには（録画が可能であるときには）、いま選択している有料番組を、実際に録画する番組として登録する。これにより、有料番組が、自動録画の対象の番組とされることになる。
【００６４】
一方、ステップＳ１４において、「有料番組」の項目の設定が「含む」ではなく、「含まない」であると判定した場合、録画制御部４２は、ステップＳ１５の処理をスキップする。すなわち、この場合、ユーザにより設定された条件にあう番組であっても、いま選択されている有料番組は自動録画の対象としては選択されない。
【００６５】
また、録画制御部４２は、ステップＳ１３において、選択している番組が有料番組ではないと判定した場合、ステップＳ１４の処理をスキップし、ステップＳ１５において、いま選択している番組（無料番組）の録画が可能であるときには、その番組を実際に録画する番組として登録する。
【００６６】
ステップＳ１６において、録画制御部４２は、候補リストに挙げられている全ての番組を選択したか否かを判定し、選択していないと判定した場合、ステップＳ１２に戻り、以上の処理を繰り返し実行する。また、録画制御部４２は、候補リストに挙げられている全ての番組を選択したと判定した場合、処理を終了させる。
【００６７】
その後、ステップＳ１５で実際に録画するものとして登録されたそれぞれの番組の放送開始時刻になったとき、その録画が行われる。
【００６８】
以上においては、有料番組を自動録画の対象とする／しないのみをユーザが選択することができるものとしたが、例えば、有料番組を自動録画の対象とするものとして選択した場合には、さらに、有料番組の自動録画に対して許容できる金額の上限をユーザが設定することができるようにしてもよい。
【００６９】
この場合、有料番組の自動録画が行われる毎に、ユーザにより設定された金額が、その番組の録画に必要な分だけ減額され、残高が不足するとき、それ以上の有料番組の自動録画は行われない。これにより、ユーザは、自分が許可した範囲内で、有料番組をも自動録画させることができる。
【００７０】
上述した一連の処理は、ハードウェアにより実行させることもできるが、ソフトウェアにより実行させることもできる。
【００７１】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【００７２】
この記録媒体は、図１に示されるように、装置本体とは別に、ユーザにプログラムを提供するために配布される、プログラムが記録されている光ディスク２７により構成されるだけでなく、装置本体に予め組み込まれた状態でユーザに提供される、プログラムが記録されているROM１３や、HDD２５に含まれるハードディスクなどで構成される。
【００７３】
なお、本明細書において、各ステップは、記載された順序に従って時系列的に行われる処理はもちろん、必ずしも時系列的に処理されなくとも、並列的あるいは個別に実行される処理をも含むものである。
【図面の簡単な説明】
【００７４】
【図１】記録装置の構成例を示すブロック図である。
【図２】記録装置の機能構成例を示すブロック図である。
【図３】録画条件の設定画面の表示例を示す図である。
【図４】録画条件の設定画面の他の表示例を示す図である。
【図５】録画条件の設定画面のさらに他の表示例を示す図である。
【図６】記録装置の録画条件設定処理について説明するフローチャートである。
【図７】有料番組に関する記録装置の自動録画処理について説明するフローチャートである。
【符号の説明】
【００７５】
１  記録装置，  １１  CPU，  ２５  HDD，  ２７  光ディスク，  ４１  録画条件設定部，  ４２  録画制御部
【図１】
2006319501.tif 000003
【図２】
2006319501.tif 000004
【図３】
2006319501.tif 000005
【図４】
2006319501.tif 000006
【図５】
2006319501.tif 000007
【図６】
2006319501.tif 000008
【図７】
2006319501.tif 000009